(57)【要約】【課題】条件に応じた適切な解像度の画像を出力することが可能な画像出力装置を提供すること。【解決手段】本発明の一実施形態に係る画像出力装置は、所定のタイミングで相手機器の解像度情報を取得する情報取得手段と、前記解像度情報に応じて許容される出力解像度を設定する設定手段と、第１のタイミングで取得された第１の解像度情報と前記第１のタイミングより後の第２のタイミングで取得された第２の解像度情報とが同一の場合には、前記設定手段により設定された前記出力解像度に応じた画像を出力し、前記第１の解像度情報と前記第２の解像度情報とが異なる場合には、前記第２の解像度情報により許容される最高解像度の画像を出力する画像出力手段と、を備えている。【選択図】図５
2011035561.tif 000002
【特許請求の範囲】
【請求項１】
所定のタイミングで相手機器の解像度情報を取得する情報取得手段と、
前記解像度情報に応じて許容される出力解像度を設定する設定手段と、
第１のタイミングで取得された第１の解像度情報と前記第１のタイミングより後の第２のタイミングで取得された第２の解像度情報とが同一の場合には、前記設定手段により設定された前記出力解像度に応じた画像を出力し、前記第１の解像度情報と前記第２の解像度情報とが異なる場合には、前記第２の解像度情報により許容される最高解像度の画像を出力する画像出力手段と、
を備えた画像出力装置。
【請求項２】
前記情報取得手段は、起動時に前記相手機器の解像度情報を取得し、
前記画像出力手段は、第１の起動タイミングで取得された第１の解像度情報と前記第１の起動タイミングより後の第２の起動タイミングで取得された第２の解像度情報とが同一の場合には、前記設定手段により設定された前記出力解像度に応じた画像を出力し、前記第１の解像度情報と前記第２の解像度情報とが異なる場合には、前記第２の解像度情報により許容される最高解像度の画像を出力する、
ことを特徴とする請求項１に記載の画像出力装置。
【請求項３】
前記情報取得手段は、第１の相手機器が取り外され、第２の相手機器が接続されたことを検出し、
前記設定手段は、前記第１の相手機器から取得した前記第１の解像度情報に応じて許容される出力解像度を設定し、
前記画像出力手段は、前記第１の相手機器から取得した前記第１の解像度情報と前記第２の相手機器から取得した前記第２の解像度情報とが同一の場合には、前記設定手段により設定された前記出力解像度に応じた画像を出力し、前記第１の解像度情報と前記第２の解像度情報とが異なる場合には、前記第２の解像度情報により許容される最高解像度の画像を出力する、
ことを特徴とする請求項１に記載の画像出力装置。
【請求項４】
前記情報取得手段は、前記第１の相手機器から第１の機器識別情報を取得し、また前記第２の相手機器から第２の機器識別情報を取得し、
前記画像出力手段は、前記第１の機器識別情報と前記第２の機器識別情報から前記第１の相手機器と前記第２の相手機器とが異なるメーカの機器であることが判明しても、前記第１の解像度情報と前記第２の解像度情報とが同一の場合には、前記設定手段により設定された前記出力解像度に応じた画像を出力し、前記第１の解像度情報と前記第２の解像度情報とが異なる場合には、前記第２の解像度情報により許容される最高解像度の画像を出力する、
ことを特徴とする請求項１に記載の画像出力装置。
【請求項５】
所定のタイミングで相手機器の解像度情報を取得し、
前記解像度情報に応じて許容される出力解像度を設定し、
第１のタイミングで取得された第１の解像度情報と前記第１のタイミングより後の第２のタイミングで取得された第２の解像度情報とが同一の場合には、前記設定手段により設定された前記出力解像度に応じた画像を出力し、前記第１の解像度情報と前記第２の解像度情報とが異なる場合には、前記第２の解像度情報により許容される最高解像度の画像を出力する画像出力方法。
【発明の詳細な説明】
【技術分野】
【０００１】
本発明は、ディスプレイの解像度情報に応じて許容される出力解像度の画像を出力する画像出力装置及び画像出力方法に関する。
【背景技術】
【０００２】
近年、ＨＤＭＩ（High Definition Multimedia Interface）を搭載したデジタル機器、例えばＴＶ、ＤＶＤプレーヤー、ＤＶＤレコーダー、及びＨＤＤレコーダが普及している。ＨＤＭＩは、映像、音声を非圧縮で転送することができる。また、ＨＤＭＩ−ＣＥＣ（Consumer Electronics Control）準拠と謳った機器同士、例えばＴＶとＤＶＤレコーダーとをＨＤＭＩを介して接続すると、映像、音声を転送できるだけでなく、ＨＤＭＩ−ＣＥＣ機能により、ＴＶのリモートコントローラを使用して、ＴＶに接続されたＤＶＤレコーダーを操作することもできる。
【０００３】
このようなＨＤＭＩを利用した画像出力装置が開示されている（特許文献１参照）。
【０００４】
上記特許文献１の段落番号００９９等に開示されたＤＶＤ再生装置は、新しく接続されたＨＤＭＩモニターから表示条件の情報を得て、この表示条件の情報に基づいてＨＤＭＩモニターに適切な表示条件で、画像情報を出力することができる。従って、新しいＨＤＭＩモニターがＤＶＤ再生装置に接続された場合にも、使用者は画像情報の表示条件の設定を変更しなくても、ＤＶＤ再生装置は適切な表示条件によって画像情報を出力することができる。
【０００５】
さらに、上記した特許文献１の段落番号０１０１等に開示されたＤＶＤ再生装置は、以前に接続されたＨＤＭＩモニターの特定情報を含む条件情報を記憶する。そのため、ＤＶＤ再生装置は、再度接続されたＨＤＭＩモニターの特定情報と適合する、以前に接続されたＨＤＭＩモニターの表示条件の情報に基づいて、再度接続されたＨＤＭＩモニターに適切な表示条件で、画像情報を出力することができる。すなわち、以前にＨＤＭＩモニターが接続されたときに、この以前に接続されたＨＤＭＩモニターから取得した表示条件を使用者が変更していたとする。このような場合、ＤＶＤ再生装置は、再度接続されたＨＤＭＩモニターから取得した表示条件で画像情報を出力するのではなく、使用者が変更した表示条件で画像情報を出力することが可能となる。従って、使用者が自己の好みにより画像情報の表示条件を変更し直さなくても、ＤＶＤ再生装置は、以前に使用者が変更した表示条件で画像情報を出力することができる。
【先行技術文献】
【特許文献】
【０００６】
【特許文献１】特開２００５−１０９７０３
【発明の概要】
【発明が解決しようとする課題】
【０００７】
しかしながら、上記した特許文献１に開示されたＤＶＤ再生装置は、以前に接続されたＨＤＭＩモニターか否かを、特定情報を含む条件情報に基づき判断している。このため、ＤＶＤ再生装置は、以前に接続されていたＨＤＭＩモニターと同じ解像度のＨＤＭＩモニターが接続されても、以前に接続されていたＨＤＭＩモニターの製造者と今回接続されるＨＤＭＩモニターの製造者とが異なると、今回接続されたＨＤＭＩモニターは新規に接続されたＨＤＭＩモニターと判断してしまう。この場合、ＤＶＤ再生装置は、使用者が変更した表示条件ではなく、今回接続されたＨＤＭＩモニターから得た表示条件の情報に基づいて今回接続されたＨＤＭＩモニターに適切な表示条件で画像情報を出力してしまう。このため、使用者が変更した表示条件を適用したい場合（前回と同じ解像度にしたい場合）には、再度、表示条件を設定し直すことになりなり、面倒である。
【０００８】
本発明の目的は、条件に応じた適切な解像度の画像を出力することが可能な画像出力装置及び画像出力方法を提供することにある。
【課題を解決するための手段】
【０００９】
本発明の一実施形態に係る画像出力装置は、所定のタイミングで相手機器の解像度情報を取得する情報取得手段と、前記解像度情報に応じて許容される出力解像度を設定する設定手段と、第１のタイミングで取得された第１の解像度情報と前記第１のタイミングより後の第２のタイミングで取得された第２の解像度情報とが同一の場合には、前記設定手段により設定された前記出力解像度に応じた画像を出力し、前記第１の解像度情報と前記第２の解像度情報とが異なる場合には、前記第２の解像度情報により許容される最高解像度の画像を出力する画像出力手段と、を備えている。
【００１０】
本発明の一実施形態に係る画像出力方法は、所定のタイミングで相手機器の解像度情報を取得し、前記解像度情報に応じて許容される出力解像度を設定し、第１のタイミングで取得された第１の解像度情報と前記第１のタイミングより後の第２のタイミングで取得された第２の解像度情報とが同一の場合には、前記設定手段により設定された前記出力解像度に応じた画像を出力し、前記第１の解像度情報と前記第２の解像度情報とが異なる場合には、前記第２の解像度情報により許容される最高解像度の画像を出力する。
【発明の効果】
【００１１】
本発明によれば、条件に応じた適切な解像度の画像を出力することが可能な画像出力装置及び画像出力方法を提供できる。
【図面の簡単な説明】
【００１２】
【図１Ａ】本発明の一実施形態に係る映像再生装置による画像出力処理の一例を示すフローチャートの前半である。
【図１Ｂ】本発明の一実施形態に係る映像再生装置による画像出力処理の一例を示すフローチャートの後半である。
【図２】映像再生装置による画像出力処理の一例を示すための状態遷移図である。
【図３】映像再生装置に接続されたモニタ上の出力解像度設定画面の一例を示す図である。
【図４】映像再生装置の表示部に表示されるＨＤＭＩ機器接続情報の一例を示す図である。
【図５】本発明の一実施形態に係る映像再生装置の概略構成を示すブロック図である。
【図６】解像度情報に対応した映像規格（Ｄ１〜Ｄ５）を検出するための変換テーブルの一例を示す図である。
【図７】ＥＤＩＤのデータ構造を示す図である。
【発明を実施するための形態】
【００１３】
以下、図面を参照し、本発明の実施形態について説明する。
【００１４】
図５は、本発明の一実施形態に係る映像再生装置（画像出力装置）の概略構成を示すブロック図である。
【００１５】
図５に示すように、映像再生装置１は、ユーザ操作入力部１０１、信号受光部１０２、表示部１０３、制御モジュール１０４、チューナ部１０５、メモリ部１０６、ＯＳＤ制御モジュール１０７、録画再生信号処理モジュール１０８、合成処理モジュール１０９、ＨＤＭＩインターフェース１１０、ディスクドライブ部１１１、ハードディスクドライブ部１１２を備えている。
【００１６】
さらに、制御モジュール１０４は、接続モニター解像度情報取得モジュール１０４１、取得解像度情報記憶処理モジュール１０４２、取得解像度情報比較処理モジュール１０４３、出力解像度設定処理モジュール１０４４、出力解像度設定画面生成モジュール１０４５、出力解像度設定値記憶処理モジュール１０４６を備えている。
【００１７】
チューナ部１０５は、指定されたチャンネルの放送信号を選択し、選択した放送信号を録画再生信号処理モジュール１０８へ入力する。録画処理が指定されている場合には、録画再生信号処理モジュール１０８は、放送信号に対応した映像信号及び音声信号をディスクドライブ部１１１又はハードディスクドライブ部１１２へ入力する。ディスクドライブ部１１１は、入力された映像信号及び音声信号を光ディスクへ記録する。或いは、ハードディスクドライブ部１１２は、入力された映像信号及び音声信号をハードディスクへ記録する。再生処理が指定されている場合には、録画再生信号処理モジュール１０８は、放送信号に対応した映像信号及び音声信号を、合成処理モジュール１０９及びＨＤＭＩインターフェース１１０を介して、モニター２（スピーカ有り）へ出力する。
【００１８】
ＨＤＭＩインターフェース１１０は、ＨＤＭＩケーブルを介して、モニター２と接続することができ、ＨＤＭＩインターフェース１１０は、ＨＤＭＩケーブルを介して、モニター２に対して、映像、音声を送信することができる。また、ＨＤＭＩインターフェース１１０は、ＥＤＩＤを取得することができ、ＥＤＩＤは、モニター２の機器識別情報（メーカーＩＤなど）及びモニター２の解像度情報などを含む。図７は、ＥＤＩＤのデータ構造を示す図である。制御モジュール１０４の接続モニター解像度情報取得モジュール１０４１は、ＨＤＭＩインターフェース１１０を介して、モニター２の解像度情報を取得し、取得解像度情報記憶処理モジュール１０４２は、取得したモニター２の解像度情報を記憶する。
【００１９】
さらに、出力解像度設定処理モジュール１０４４は、図６に示す変換テーブルに基づき、取得したモニター２の解像度情報に対応した映像規格を検出する。なお、映像規格Ｄ１〜Ｄ５は、以下の映像フォーマットをサポートしている。
【００２０】
映像規格Ｄ１は、以下の映像フォーマットをサポートしている。
【００２１】
・４８０ｉ（７２０×４８０ドットインターレース）
映像規格Ｄ２は、以下の映像フォーマットをサポートしている。
【００２２】
・４８０ｉ（７２０×４８０ドットインターレース）
・４８０ｐ（７２０×４８０ドットプログレッシブ）
映像規格Ｄ３は、以下の映像フォーマットをサポートしている。
【００２３】
・４８０ｉ（７２０×４８０ドットインターレース）
・４８０ｐ（７２０×４８０ドットプログレッシブ）
・１０８０ｉ（１９２０×１０８０ドットインターレース）
映像規格Ｄ４は、以下の映像フォーマットをサポートしている。
【００２４】
・４８０ｉ（７２０×４８０ドットインターレース）
・４８０ｐ（７２０×４８０ドットプログレッシブ）
・１０８０ｉ（１９２０×１０８０ドットインターレース）
・７２０ｐ（１２８０×７２０ドットプログレッシブ）
映像規格Ｄ５は、以下の映像フォーマットをサポートしている。
【００２５】
・４８０ｉ（７２０×４８０ドットインターレース）
・４８０ｐ（７２０×４８０ドットプログレッシブ）
・１０８０ｉ（１９２０×１０８０ドットインターレース）
・７２０ｐ（１２８０×７２０ドットプログレッシブ）
・１０８０ｐ（１９２０×１０８０ドットプログレッシブ）
続いて、リモートコントローラ１０２ａによる出力解像度設定の一例について説明する。信号受光部１０２は、リモートコントローラ１０２ａからの信号を受信し、受信した信号に応じた情報を制御モジュール１０４へ通知する。例えば、信号受光部１０２は、リモートコントローラ１０２ａから出力解像度設定の指示を受信し、出力解像度設定の指示を制御モジュール１０４へ通知する。これに対応して、制御モジュール１０４の出力解像度設定画面生成モジュール１０４５は、図３に示すような出力解像度設定画面を表示するための表示情報をＯＳＤ制御モジュール１０７へ出力する。これにより、ＯＳＤ制御モジュール１０７は、出力解像度設定画面を表示するための表示情報を合成処理モジュール１０９へ出力し、ＨＤＭＩインターフェース１１０を介して、出力解像度設定画面を表示するための表示情報がモニター２へ出力される。
【００２６】
これにより、モニター２は、図３に示すような出力解像度設定画面を表示する。例えば、出力解像度設定処理モジュール１０４４が、モニター２が映像規格Ｄ１に対応していることを検出している場合、出力解像度設定画面は、映像規格Ｄ１でサポートされている映像フォーマットに対応した解像度の設定項目を含む。つまり、出力解像度設定画面は、４８０ｉの設定項目だけを含む。
【００２７】
また、出力解像度設定処理モジュール１０４４が、モニター２が映像規格Ｄ２に対応していることを検出している場合、出力解像度設定画面は、映像規格Ｄ２でサポートされている映像フォーマットに対応した解像度の設定項目を含む。つまり、出力解像度設定画面は、４８０ｉの設定項目と４８０ｐの設定項目を含む。
【００２８】
また、出力解像度設定処理モジュール１０４４が、モニター２が映像規格Ｄ３に対応していることを検出している場合、出力解像度設定画面は、映像規格Ｄ３でサポートされている映像フォーマットに対応した解像度の設定項目を含む。つまり、出力解像度設定画面は、４８０ｉの設定項目、４８０ｐの設定項目、１０８０ｉの設定項目を含む。
【００２９】
また、出力解像度設定処理モジュール１０４４が、モニター２が映像規格Ｄ４に対応していることを検出している場合、出力解像度設定画面は、映像規格Ｄ４でサポートされている映像フォーマットに対応した解像度の設定項目を含む。つまり、出力解像度設定画面は、４８０ｉの設定項目、４８０ｐの設定項目、１０８０ｉの設定項目、７２０ｐの設定項目を含む。
【００３０】
また、出力解像度設定処理モジュール１０４４が、モニター２が映像規格Ｄ５に対応していることを検出している場合、出力解像度設定画面は、映像規格Ｄ５でサポートされている映像フォーマットに対応した解像度の設定項目を含む。つまり、出力解像度設定画面は、４８０ｉの設定項目、４８０ｐの設定項目、１０８０ｉの設定項目、７２０ｐの設定項目、１０８０pの設定項目を含む。
【００３１】
これにより、出力解像度設定画面を介して、モニター２の解像度情報に応じて許容される解像度を設定することができる。つまり、モニター２が映像規格Ｄ１に対応している場合、４８０ｉを設定することはできるが、４８０ｐ、１０８０ｉ、７２０ｐ、１０８０pを設定することはできない。
【００３２】
図３に示すような出力解像度設定画面が表示された状態で、信号受光部１０２が、カーソル移動の指示を受信すると、出力解像度設定画面の各設定項目上でカーソルが移動し（又は出力解像度設定画面上の各設定項目がスクロールし）、また、信号受光部１０２が、決定の指示を受信すると、カーソルによりフォーカスされた設定項目の出力解像度が設定される。例えば、カーソルが７２０ｐの設定項目をフォーカスした状態で、決定の指示が受信されると、出力解像度設定処理部１０４４は７２０ｐを設定し、出力解像度設定値記憶処理部１０４６がメモリ部１０６へ７２０ｐを記憶する。
【００３３】
また、出力解像度設定処理部１０４４は、モニター２が対応している映像規格の情報を表示するための表示情報を表示部１０３へ出力する。これに対応して、表示部１０３は、モニター２が対応している映像規格の情報を表示する。例えば、出力解像度設定処理部１０４４が、モニター２が映像規格Ｄ４に対応していることを検出している場合、出力解像度設定処理部１０４４は、モニター２が対応している映像規格Ｄ４の情報を表示するための表示情報を表示部１０３へ出力する。これに対応して、表示部１０３は、図４に示すように、「ＨＤＭＩ」、「Ｄ４」を表示する。例えば、表示部１０３は、図４に示すように、映像再生装置１のフロントパネルに設けられた表示部である。
【００３４】
なお、上記説明では、リモートコントローラ１０２ａによる出力解像度設定の例について説明したが、ユーザ操作入力部１０１により出力解像度を設定することもできる。
【００３５】
上記説明した映像再生装置１は、所定のタイミング（起動時、機器の入れ替わり時など）で相手機器の解像度情報を取得し、取得した解像度情報に応じて許容される出力解像度を設定することができる。さらに、映像再生装置１は、第１のタイミングで取得された第１の解像度情報と第１のタイミングより後の第２のタイミングで取得された第２の解像度情報とが同一の場合には、設定されている出力解像度に応じた画像を出力し、第１の解像度情報と第２の解像度情報とが異なる場合には、この第２の解像度情報により許容される最高解像度の画像を出力する。
【００３６】
以下、図１Ａ及び図１Ｂのフローチャートを参照し、上記した画像出力処理について詳細に説明する。最初に図１Ａ及び図１Ｂのフローチャート中の用語について説明する。
【００３７】
第１に、［前回接続ＴＶ（前回接続モニター２）の解像度情報］について説明する。映像再生装置１は、［前回接続ＴＶ（前回接続モニター２）の解像度情報］をメモリ部１０６の揮発性記憶素子に記憶しておく。上記したように、映像再生装置１の接続モニター解像度情報取得モジュール１０４１が、ＨＤＭＩインターフェース１１０を介して、モニター２の解像度情報（ＥＤＩＤ）を取得し、出力解像度設定処理モジュール１０４４が、図６に示す変換テーブルに基づき、取得したモニター２の解像度情報に対応した映像規格を検出し、検出した映像規格を揮発性記憶素子に記憶する。
【００３８】
第２に、［ＬＡＳＴ］について説明する。映像再生装置１は、直前に設定されていた設定解像度を［ＬＡＳＴ］として、この［ＬＡＳＴ］をメモリ部１０６の不揮発性記憶素子に記憶する。例えば、映像再生装置１は、電力供給が遮断される直前（電源オフの直前）の設定解像度を［ＬＡＳＴ］として、この［ＬＡＳＴ］をメモリ部１０６の不揮発性記憶素子に記憶する。
【００３９】
第３に、［現在接続ＴＶ（現在接続モニター２）の解像度情報］について説明する。映像再生装置１は、［現在接続モニター２の解像度情報］をメモリ部１０６の揮発性記憶素子に記憶しておく。上記したように、映像再生装置１の接続モニター解像度情報取得モジュール１０４１が、ＨＤＭＩインターフェース１１０を介して、現在接続モニター２の解像度情報（ＥＤＩＤ）を取得し、出力解像度設定処理モジュール１０４４が、図６に示す変換テーブルに基づき、取得した現在接続モニター２の解像度情報に対応した映像規格を検出し、検出した映像規格を揮発性記憶素子に記憶する。このとき、前回接続モニター２の解像度情報に対応した映像規格も同時に保持する。
【００４０】
第４に、［出力］について説明する。映像再生装置１は、現在出力中の映像の解像度を［出力］として、この［出力］をメモリ部１０６の揮発性記憶素子に記憶しておく。
【００４１】
図１Ａ及び図１Ｂに示すように、例えば、モニター２に電力が供給され、映像再生装置１にも電力の供給が開始されると（電源ＯＮ）、制御モジュール１０４は、［前回接続ＴＶ（前回接続モニター２）の解像度情報］、［ＬＡＳＴ］、及び［出力］をメモリ部１０６から読み出す（ＳＴ１０１）。なお、［前回接続ＴＶ（前回接続モニター２）の解像度情報］と［ＬＡＳＴ］はメモリ部１０６の揮発性メモリに記憶されることを想定しているため、電力供給開始直後は、［前回接続ＴＶ（前回接続モニター２）の解像度情報］として初期値Ｄ１が読み出され、［ＬＡＳＴ］として初期値４８０ｉが読み出されるものとする。［出力］は、メモリ部１０６の不揮発性メモリに記憶されることを想定しているため、電力供給開始直後であっても、［出力］として記憶された情報が読み出される。
【００４２】
接続モニター解像度情報取得モジュール１０４１が、ＨＤＭＩインターフェース１１０を介して、現在接続モニター２の解像度情報を取得することができない場合、つまり、現在接続モニター２がサポートしている解像度が不明な場合で（ＳＴ１０２、ＹＥＳ）、しかも映像再生装置１で解像度切換できない場合には（ＳＴ１０９、ＮＯ）、例えば、録画再生信号処理部１０８は、４８０ｐ（Ｄ２相当）に応じた画像を、合成処理モジュール１０９及びＨＤＭＩインターフェース１１０を介して出力する。さらに、４８０ｐ（Ｄ２相当）を［出力］に設定し、４８０ｐ（Ｄ２相当）を［ＬＡＳＴ］に設定する（ＳＴ１１１）。映像再生装置１で解像度切換できる場合には（ＳＴ１０９、ＹＥＳ）、例えば、録画再生信号処理部１０８は、設定可能な最高解像度に応じた画像を、合成処理モジュール１０９及びＨＤＭＩインターフェース１１０を介して出力する。さらに、設定可能な最高解像度を［出力］に設定し、設定可能な最高解像度を［ＬＡＳＴ］に設定する（ＳＴ１１０）。
【００４３】
接続モニター解像度情報取得モジュール１０４１が、ＨＤＭＩインターフェース１１０を介して、現在接続モニター２の解像度情報を取得することができる場合（ＳＴ１０２、ＮＯ）、接続モニター解像度情報取得モジュール１０４１は、ＨＤＭＩインターフェース１１０を介して、現在接続モニター２の解像度情報を取得し、取得解像度情報記憶処理モジュール１０４２は、取得したモニター２の解像度情報を現在接続ＴＶの解像度情報として記憶する（ＳＴ１０３）。ここで、取得解像度情報比較処理モジュール１０４３は、前回接続モニター２の解像度情報と現在接続モニター２の解像度情報とを比較する（ＳＴ１０４）。
【００４４】
前回接続モニター２の解像度情報と現在接続モニター２の解像度情報とが同一であれば、つまり、［前回接続ＴＶの解像度情報］＝［現在接続ＴＶの解像度情報］であれば（ＳＴ１０４、ＹＥＳ）（ＳＴ１０７）、現在の設定解像度）が維持される（ＳＴ１０８）。即ち、出力解像度設定処理モジュール１０４４は、現在の設定解像度の設定を維持し、これに対応して録画再生信号処理モジュール１０８は、現在の設定解像度に応じた画像を、合成処理モジュール１０９及びＨＤＭＩインターフェース１１０を介して出力する。
【００４５】
前回接続モニター２の解像度情報と現在接続モニター２の解像度情報とが異なれば、つまり、［前回接続ＴＶの解像度情報］＞［現在接続ＴＶの解像度情報］、又は［前回接続ＴＶの解像度情報］＜［現在接続ＴＶの解像度情報］であれば（ＳＴ１０４、ＮＯ）（ＳＴ１０５）、現在の設定解像度が更新される（ＳＴ１０６）。即ち、出力解像度設定処理モジュール１０４４は、現在の設定解像度を、現在接続モニター２の解像度情報により許容される最高解像度へ更新する。さらに、出力解像度設定処理モジュール１０４４は、前回接続モニター２の解像度情報を現在接続モニター２の解像度情報へ更新し、現在接続モニター２の解像度情報により許容される最高解像度を［出力］に設定し、現在接続モニター２の解像度情報により許容される最高解像度を［ＬＡＳＴ］に設定する（ＳＴ１０６）。
【００４６】
接続モニター解像度情報取得モジュール１０４１は、ＨＤＭＩインターフェース１１０を介して、モニター２の接続及び取り外しを検出することができる。つまり、接続モニター解像度情報取得モジュール１０４１は、モニター２のＨＤＭＩケーブルがＨＤＭＩインターフェース１１０へ挿入されたこと、及びモニター２のＨＤＭＩケーブルがＨＤＭＩインターフェース１１０から抜き取られたことを検出することができる。
【００４７】
ＨＤＭＩインターフェース１１０への挿抜に変化がある場合（ＳＴ１１２、ＹＥＳ）、例えば、ＨＤＭＩインターフェース１１０からＨＤＭＩケーブルが抜き取られ、このＨＤＭＩインターフェース１１０に対して新たにＨＤＭＩケーブルが挿入されると、接続モニター解像度情報取得モジュール１０４１は、ＨＤＭＩインターフェース１１０及び新たに挿入されたＨＤＭＩケーブルを介して、接続モニター２の解像度情報を取得し、取得解像度情報記憶処理モジュール１０４２は、取得したモニター２の解像度情報を［現在接続ＴＶの解像度情報］として記憶し（ＳＴ１０３）、ＳＴ１０４以降の処理へ進む。つまり、［現在接続ＴＶの解像度情報］が更新された上で、ＳＴ１０４以降の処理へ進む。
【００４８】
ここで、前回接続モニター２の解像度情報と現在接続モニター２の解像度情報とが同一であれば、つまり、［前回接続ＴＶの解像度情報］＝［現在接続ＴＶの解像度情報］であれば（ＳＴ１０４、ＹＥＳ）（ＳＴ１０７）、現在の設定解像度が維持される（ＳＴ１０８）。即ち、出力解像度設定処理モジュール１０４４は、現在の設定解像度の設定を維持し、これに対応して録画再生信号処理モジュール１０８は、現在の設定解像度に応じた画像を、合成処理モジュール１０９及びＨＤＭＩインターフェース１１０を介して出力する。従って、前回接続モニター２の製造メーカと今回接続モニター２の製造メーカとが異なっても、前回接続モニター２の解像度情報と今回接続モニター２の解像度情報とが同一であれば、現在の設定解像度に応じた画像が出力される。即ち、ユーザが好みで設定した設定解像度に応じた画像が出力される。
【００４９】
前回接続モニター２の解像度情報と現在接続モニター２の解像度情報とが異なれば、つまり、［前回接続ＴＶの解像度情報］＞［現在接続ＴＶの解像度情報］、又は［前回接続ＴＶの解像度情報］＜［現在接続ＴＶの解像度情報］であれば（ＳＴ１０４、ＮＯ）（ＳＴ１０５）、現在の設定解像度が更新される（ＳＴ１０６）。即ち、出力解像度設定処理モジュール１０４４は、現在の設定解像度を、現在接続モニター２の解像度情報により許容される最高解像度へ更新する。従って、前回接続モニター２の製造メーカと今回接続モニター２の製造メーカとが同一であっても、前回接続モニター２の解像度情報と今回接続モニター２の解像度情報とが異なれば、現在接続モニター２の解像度情報により許容される最高解像度に応じた画像が出力される。
【００５０】
また、途中で、リモートコントローラ１０２ａにより出力解像度が切り換えらると（ＳＴ１１３、ＹＥＳ）（ＳＴ１１４）（ＳＴ１１５、ＹＥＳ）、切り換えられた解像度が［出力］に設定される（ＳＴ１１６）。出力解像度の切り換えは、図３に示す出力解像度設定画面を介して切り換えることもできるし、リモートコントローラ１０２ａのボタン操作に応じて、Ｄ１→Ｄ２→Ｄ３→Ｄ４→Ｄ５→Ｄ１→…のように切り換えることもできる。図３に示す出力解像度設定画面は、既に説明したように、現在接続モニター２の解像度情報によりサポートされた解像度の設定項目を含むため、現在接続モニター２に適した解像度を容易に設定することができる。これに対して、Ｄ１→Ｄ２→Ｄ３→Ｄ４→Ｄ５→Ｄ１→…のように切り換える場合で、現在接続モニター２がサポートしていない解像度へ切り換えられた場合には（ＳＴ１１５、ＮＯ）、現在接続モニター２がサポートしている解像度（低解像度）へ切り換えられ、切り換えられた解像度が［出力］に設定される（ＳＴ１１７）。
【００５１】
映像再生装置１への電力供給が停止されると（電源ＯＦＦ）（ＳＴ１１８、ＹＥＳ）、［出力］に設定された解像度が、［ＬＡＳＴ］に設定される（ＳＴ１１９）。
【００５２】
ここで、図２を参照し、上記した画像出力処理の一例について説明する。例えば、映像再生装置１が前回接続ＴＶの解像度情報（Ｄ３）を記憶し、Ａ社モニター２Ａが映像規格Ｄ２をサポートし、このＡ社モニター２ＡがＨＤＭＩインターフェース１１０を介して映像再生装置１に対して接続されたとする。このケースでは、映像再生装置１は、Ａ社モニター２Ａから解像度情報（Ｄ２）を取得し、前回接続ＴＶの解像度情報（Ｄ３）と現在接続ＴＶ（Ａ社モニター２Ａ）の解像度情報（Ｄ２）とが異なることから、現在接続ＴＶ（Ａ社モニター２Ａ）の解像度情報（Ｄ２）が許容する最高解像度（４８０ｐ）を出力に設定し、この最高解像度（４８０ｐ）の画像を出力する。さらに、映像再生装置１は、現在接続ＴＶの解像度情報をＡ社モニター２Ａから取得した解像度情報（Ｄ２）へ更新し、前回接続ＴＶの解像度情報を更新済みの現在接続ＴＶの解像度情報（Ｄ２）へ更新し、ＬＡＳＴを更新済みの現在接続ＴＶの解像度情報（Ｄ２）へ更新する。Ａ社モニター２Ａは、映像規格Ｄ２しかサポートしていないが、上記したように、Ａ社モニター２Ａから取得した解像度情報（Ｄ２）が許容する最高解像度（４８０ｐ）の画像が出力されるため、Ａ社モニター２Ａで画像を見ることができる。
【００５３】
続いて、Ａ社モニター２ＡのＨＤＭＩケーブルが、ＨＤＭＩインターフェース１１０から抜き取られ、替わりに、Ｂ社モニター２ＢのＨＤＭＩケーブルが、ＨＤＭＩインターフェース１１０に挿入されたとする（ＳＴ２０１）。なお、Ｂ社モニター２Ｂは映像規格Ｄ３をサポートしているものとする。このケースでは、映像再生装置１は、モニターの入れ替わりを検出し、Ｂ社モニター２Ｂから解像度情報（Ｄ３）を取得し、前回接続ＴＶ（Ａ社モニター２Ａ）の解像度情報（Ｄ２）と現在接続ＴＶ（Ｂ社モニター２Ｂ）の解像度情報（Ｄ３）とが異なることから、現在接続ＴＶ（Ｂ社モニター２Ｂ）の解像度情報（Ｄ３）が許容する最高解像度（１０８０ｉ）を出力に設定し、この最高解像度（１０８０ｉ）に応じた画像を出力する。さらに、映像再生装置１は、現在接続ＴＶの解像度情報（Ｄ２）をＢ社モニター２Ｂから取得した解像度情報（Ｄ３）へ更新し、前回接続ＴＶの解像度情報（Ｄ２）を更新済みの現在接続ＴＶの解像度情報（Ｄ３）へ更新し、ＬＡＳＴを更新済みの現在接続ＴＶの解像度情報（Ｄ３）へ更新する。Ｂ社モニター２Ｂは、映像規格Ｄ３をサポートしており、上記したように、Ｂ社モニター２Ｂから取得した解像度情報（Ｄ３）が許容する最高解像度（１０８０ｉ）の画像が出力されるため、Ｂ社モニター２Ｂがサポートする最高画質で画像を見ることができる。
【００５４】
続いて、Ｂ社モニター２ＣのＨＤＭＩケーブルが、ＨＤＭＩインターフェース１１０から抜き取られ、替わりに、Ｃ社モニター２ＣのＨＤＭＩケーブルが、ＨＤＭＩインターフェース１１０に挿入されたとする（ＳＴ２０２）。なお、Ｃ社モニター２Ｃは映像規格Ｄ４をサポートしているものとする。このケースでは、映像再生装置１は、モニターの入れ替わりを検出し、Ｃ社モニター２Ｃから解像度情報（Ｄ４）を取得し、前回接続ＴＶ（Ｂ社モニター２Ｂ）の解像度情報（Ｄ３）と現在接続ＴＶ（Ｃ社モニター２Ｃ）の解像度情報（Ｄ４）とが異なることから、現在接続ＴＶ（Ｃ社モニター２Ｃ）の解像度情報（Ｄ４）が許容する最高解像度（１０８０ｉ）を出力に設定し、この最高解像度（１０８０ｉ）に応じた画像を出力する。さらに、映像再生装置１は、現在接続ＴＶの解像度情報（Ｄ３）をＣ社モニター２Ｃから取得した解像度情報（Ｄ４）へ更新し、前回接続ＴＶの解像度情報（Ｄ３）を更新済みの現在接続ＴＶの解像度情報（Ｄ４）へ更新し、ＬＡＳＴを更新済みの現在接続ＴＶの解像度情報（Ｄ４）へ更新する。Ｃ社モニター２Ｃは、映像規格Ｄ４をサポートしており、上記したように、Ｃ社モニター２Ｃから取得した解像度情報（Ｄ４）が許容する最高解像度（１０８０ｉ）の画像が出力されるため、Ｃ社モニター２Ｃがサポートする最高画質で画像を見ることができる。
【００５５】
ここで、解像度の設定が変更されるケースを想定する。例えば、ユーザが、リモートコントローラ１０２ａにより出力解像度設定画面を介して、現在の設定解像度（１０８０ｉ）を７２０ｐへ変更したとする（ＳＴ２０３）。つまり、現在接続ＴＶ（Ｃ社モニター２Ｃ）の解像度情報（Ｄ４）が許容する最高解像度（１０８０ｉ）より低い解像度（７２０ｐ）へ変更されたとする。これに対応し、映像再生装置１は、変更された設定解像度（７２０ｐ）を出力に設定し、この出力解像度（７２０ｐ）に応じた画像を出力する。
【００５６】
続いて、Ｃ社モニター２ＣのＨＤＭＩケーブルが、ＨＤＭＩインターフェース１１０から抜き取られ、替わりに、Ｄ社モニター２ＤのＨＤＭＩケーブルが、ＨＤＭＩインターフェース１１０に挿入されたとする（ＳＴ２０４）。なお、Ｄ社モニター２Ｄは映像規格Ｄ４をサポートしているものとする。このケースでは、映像再生装置１は、モニターの入れ替わりを検出し、Ｄ社モニター２Ｄから解像度情報（Ｄ４）を取得し、前回接続ＴＶ（Ｃ社モニター２Ｃ）の解像度情報（Ｄ４）と現在接続ＴＶ（Ｄ社モニター２Ｄ）の解像度情報（Ｄ４）とが同一であることから、現在の設定解像度（７２０ｐ）が維持され、この出力解像度（７２０ｐ）に応じた画像を出力する。
【００５７】
なお、映像再生装置１は、現在接続ＴＶの解像度情報を認識できない場合（不明な場合）には、映像再生装置１で出力可能な最高解像度で画像を出力する。つまり、映像再生装置１は、出力可能な最高解像度を出力に設定し、同様に、出力可能な最高解像度をＬＡＳＴにも設定する。
【００５８】
このように、映像再生装置１は、前回接続ＴＶの解像度情報と現在接続ＴＶの解像度情報とが異なれば、現在接続ＴＶの解像度情報により許容される最高解像度で画像を出力し、前回接続ＴＶの解像度情報と現在接続ＴＶの解像度情報とが同一であれば、設定解像度で画像を出力する。つまり、映像再生装置１は、前回接続モニターが返信する解像度情報と同じ解像度情報を返信するモニターへ付け替えられた場合に、ユーザが既に設定した設定解像度の画像を、付け替えられたモニターへ出力する。これにより、前回接続モニターが返信する解像度情報と同じ解像度情報を返信するモニターへ付け替えられた場合に、ユーザは、自身の嗜好に合わせて解像度を設定し直さなくても、既に設定された設定解像度の画像を見ることができる。また、映像再生装置１は、前回接続モニターが返信する解像度情報と異なる解像度情報を返信するモニターへ付け替えられた場合には、接続されたモニターの解像度情報が許容する最高解像度の画像を出力する。これにより、前回接続モニターが返信する解像度情報と異なる解像度情報を返信するモニターへ付け替えられた場合に、ユーザは付け替えられたモニターの最高解像度の画像を見ることができる。
【００５９】
なお、上記したモジュールとは、ハードウェアで実現するものであっても良いし、ＣＰＵ等を使ってソフトウェアで実現するものであってもよい。
【００６０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６１】
１…映像再生装置、２…モニター、１０１…ユーザ操作入力部、１０２…信号受光部、１０３…表示部、１０４…制御モジュール、１０５…チューナ部、１０６…メモリ部、１０７…ＯＳＤ制御モジュール、１０８…録画再生信号処理モジュール、１０９…合成処理モジュール、１１０…ＨＤＭＩインターフェース、１１１…ディスクドライブ部、１１２…ハードディスクドライブ部、１０４１…接続モニター解像度情報取得モジュール、１０４２…取得解像度情報記憶処理モジュール、１０４３…取得解像度情報比較処理モジュール、１０４４…出力解像度設定処理モジュール、１０４５…出力解像度設定画面生成モジュール、１０４６…出力解像度設定値記憶処理モジュール
【図１Ａ】
2011035561.tif 000003
【図１Ｂ】
2011035561.tif 000004
【図２】
2011035561.tif 000005
【図３】
2011035561.tif 000006
【図４】
2011035561.tif 000007
【図５】
2011035561.tif 000008
【図６】
2011035561.tif 000009
【図７】
2011035561.tif 000010